(57)【要約】【課題】肌へのフィット感を改善して、装着性を向上させることが可能な吸収性物品を提供する。【解決手段】縦方向と横方向と前後方向とを有するおむつ１であって、縦方向に沿った吸収性本体２と、横方向に沿ったベルト部３１と、縦方向に沿ったレッグギャザー部３２とを備えるシート部材３と、シート部材３の少なくとも一部に重なって配置された弾性シート部材４と、を有し、シート部材３と弾性シート部材４とを貫通する脚回り開口部５が形成されており、縦方向の上方側から脚回り開口部５に向かって、横方向外側へ傾斜した、少なくとも吸収性本体２及びシート部材３を接合する第１及び第２接合部６１，６２が、前方及び後方にそれぞれ設けられており、弾性シート部材４は、脚回り開口部５の周縁５０全周に亘って配置されている。【選択図】図２
2016220944.tif 000002
【特許請求の範囲】
【請求項１】
縦方向と横方向と前後方向とを有する吸収性物品であって、
前記縦方向に沿った吸収性本体と、
前記横方向に沿ったベルト部と、前記縦方向に沿ったレッグギャザー部とを備えるシート部材と、
前記シート部材の少なくとも一部に重なって配置された弾性シート部材と、を有し、
前記シート部材と前記弾性シート部材とを貫通する脚回り開口部が形成されており、
前記縦方向の上方側から前記脚回り開口部に向かって、前記横方向外側へ傾斜した、少なくとも前記吸収性本体及び前記シート部材を接合する接合部が、前方及び後方にそれぞれ設けられており、
前記弾性シート部材は、前記脚回り開口部の周縁全周に亘って配置されている
ことを特徴とする吸収性物品。
【請求項２】
請求項１に記載の吸収性物品であって、
前記接合部の下方側の端と前記脚回り開口部の前記周縁とは、所定距離離れている
ことを特徴とする吸収性物品。
【請求項３】
請求項１又は２に記載の吸収性物品であって、
前記弾性シート部材は、
前記ベルト部の前記縦方向における下端部に配置されたベルト側弾性部と、
前記レッグギャザー部の前記横方向における外端部に配置されたレッグギャザー側弾性部とを有し、
前記ベルト側弾性部及び前記レッグギャザー側弾性部は、同じ方向に伸長された状態で前記シート部材に接合された後、前記脚回り開口部の前記周縁に沿って収縮している
ことを特徴とする吸収性物品。
【請求項４】
請求項３に記載の吸収性物品であって、
前記レッグギャザー側弾性部の最下端での前記横方向の幅は、前記レッグギャザー側弾性部の後方側の最上端での前記横方向の幅よりも狭い
ことを特徴とする吸収性物品。
【請求項５】
請求項３又は４に記載の吸収性物品であって、
前記レッグギャザー側弾性部の最下端での前記横方向の幅は、前記レッグギャザー側弾性部の前方側の最上端での前記横方向の幅よりも狭い
ことを特徴とする吸収性物品。
【請求項６】
請求項１〜５のいずれかに記載の吸収性物品であって、
前記弾性シート部材は、伸縮性不織布である
ことを特徴とする吸収性物品。
【請求項７】
請求項１〜６のいずれかに記載の吸収性物品であって、
前方に設けられた前記接合部の前記縦方向に対する傾斜角度のうち小さい方の角度は、後方に設けられた前記接合部の前記縦方向に対する傾斜角度のうち小さい方の角度よりも大きい
ことを特徴とする吸収性物品。
【発明の詳細な説明】
【技術分野】
【０００１】
本発明は、吸収性物品に関する。
【背景技術】
【０００２】
従来、吸収性物品として、一つの胴回り開口及び一対の脚回り開口を備える使い捨ておむつが知られている。例えば、特許文献１及び特許文献２には、腹側部分、背側部分、及び股部分を備えた、いわゆる３ピース構造の使い捨ておむつが開示されている。
【０００３】
特許文献１及び特許文献２に記載の使い捨ておむつは、伸長性又は伸縮性を有する一対の脚回りシートが股部分の横方向の両側にそれぞれ配置されている。当該脚回りシートは、股部分の長手方向に沿った方向の一側が腹側部分に接合され、他側が背側部分に接合されている。特許文献１に記載のものでは、横方向の外方から内方に向かう切欠きによって脚回り開口が形成されており、特許文献２に記載のものでは、脚回りシートを貫通する切抜きによって脚回り開口が形成されている。
【先行技術文献】
【特許文献】
【０００４】
【特許文献１】特開２０１２−１４３２９９号公報
【特許文献２】特開２０１２−１４３３０５号公報
【発明の概要】
【発明が解決しようとする課題】
【０００５】
特許文献１及び特許文献２に記載のものでは、一対の脚回りシートが着用者の股下側のみに配置され、腹側には配置されていないため、股下側と腹側とにおいて肌へのフィット感に偏りが生じて装着性が悪くなるおそれがあった。
【０００６】
本発明は、上記のような問題に鑑みてなされたものであって、その目的とするところは、肌へのフィット感を改善して、装着性を向上させることが可能な吸収性物品を提供することにある。
【課題を解決するための手段】
【０００７】
上記目的を達成するための主たる発明は、縦方向と横方向と前後方向とを有する吸収性物品であって、前記縦方向に沿った吸収性本体と、前記横方向に沿ったベルト部と、前記縦方向に沿ったレッグギャザー部とを備えるシート部材と、前記シート部材の少なくとも一部に重なって配置された弾性シート部材と、を有し、前記シート部材と前記弾性シート部材とを貫通する脚回り開口部が形成されており、前記縦方向の上方側から前記脚回り開口部に向かって、前記横方向外側へ傾斜した、少なくとも前記吸収性本体及び前記シート部材を接合する接合部が、前方及び後方にそれぞれ設けられており、前記弾性シート部材は、前記脚回り開口部の周縁全周に亘って配置されていることを特徴とする吸収性物品である。本発明の他の特徴については、本明細書及び添付図面の記載により明らかにする。
【発明の効果】
【０００８】
本発明によれば、肌へのフィット感を改善して、装着性を向上させることが可能となる。
【図面の簡単な説明】
【０００９】
【図１】本発明の実施形態に係るおむつの外観を示す概略斜視図である。
【図２】図２Ａ及び図２Ｂはおむつの概略平面図であり、図２Ａはおむつを前方から見た場合、図２Ｂはおむつを後方から見た場合を示している。
【図３】図３Ａは吸収性本体の長手方向に沿って伸長させた状態のおむつを示す平面図であり、図３Ｂは図３ＡのＡ−Ａ線断面図である。
【図４】図４Ａは製造工程の途中におけるおむつの展開状態を示す平面展開図であり、図４Ｂは図４ＡのＢ−Ｂ線断面図である。
【図５】製造工程の途中のおむつの展開状態における脚回り開口部、及びその周辺を示す部分拡大図である。
【図６】図６Ａは着用者が従来のパンツ型おむつを着用した状態を示す側面図であり、図６Ｂは着用者が本実施形態にかかるおむつを着用した状態を示す側面図である。
【発明を実施するための形態】
【００１０】
本明細書及び添付図面の記載により、少なくとも以下の事項が明らかとなる。
【００１１】
縦方向と横方向と前後方向とを有する吸収性物品であって、前記縦方向に沿った吸収性本体と、前記横方向に沿ったベルト部と、前記縦方向に沿ったレッグギャザー部とを備えるシート部材と、前記シート部材の少なくとも一部に重なって配置された弾性シート部材と、を有し、前記シート部材と前記弾性シート部材とを貫通する脚回り開口部が形成されており、前記縦方向の上方側から前記脚回り開口部に向かって、前記横方向外側へ傾斜した、少なくとも前記吸収性本体及び前記シート部材を接合する接合部が、前方及び後方にそれぞれ設けられており、前記弾性シート部材は、前記脚回り開口部の周縁全周に亘って配置されている吸収性物品が明らかとなる。
【００１２】
このような吸収性物品によれば、着用者の脚が接触する脚回り開口部の周縁において、弾性シート部材が全周に亘って途切れることなく配置されているため、ベルト部側とレッグギャザー部側とにおいて肌へのフィット感に偏りが生じにくくなると共に、弾性シート部材が肌に対して面でフィットするため、肌へのフィット感が良好となり、装着性が向上する。
【００１３】
かかる吸収性物品であって、前記接合部の下方側の端と前記脚回り開口部の前記周縁とは、所定距離離れていることが望ましい。
【００１４】
このような吸収性物品によれば、接合部の下方側の端は脚回り開口部の周縁まで到達しておらず、所定距離だけ離れているため、接合部の下方側の端が直接的に着用者の肌に接触しにくくなり、かつ弾性シート部材が肌に対して面で接触することで、肌に対する違和感を抑制することができる。
【００１５】
かかる吸収性物品であって、前記弾性シート部材は、前記ベルト部の前記縦方向における下端部に配置されたベルト側弾性部と、前記レッグギャザー部の前記横方向における外端部に配置されたレッグギャザー側弾性部とを有し、前記ベルト側弾性部及び前記レッグギャザー側弾性部は、同じ方向に伸長された状態で前記シート部材に接合された後、前記脚回り開口部の前記周縁に沿って収縮していることが望ましい。
【００１６】
このような吸収性物品によれば、ベルト部側に位置するベルト側弾性部とレッグギャザー部側に位置するレッグギャザー側弾性部とが、同じ方向に伸張された状態でシート部材に接合された後、脚回り開口部の周縁に沿って収縮するため、脚回りにおいて肌へのフィット感が均一になりやすく、弾性シート部材と肌との間に隙間が生じにくくなる。これにより、装着性がより向上する。
【００１７】
かかる吸収性物品であって、前記レッグギャザー側弾性部の最下端での前記横方向の幅は、前記レッグギャザー側弾性部の後方側の最上端での前記横方向の幅よりも狭いことが望ましい。
【００１８】
このような吸収性物品によれば、レッグギャザー側弾性部における着用者の股下側に対応する最下端では、横方向の幅を狭くすることでレッグギャザー側弾性部が有する弾性力を狭い範囲に集中して作用させることができ、肌との間に隙間が生じにくくなり漏れの抑制につながる。他方、着用者の臀部側に対応する前方側の最上端では、横方向の幅を広くすることにより弾性力を面で分散して作用させることができ、臀部への食い込みの抑制につながる。
【００１９】
かかる吸収性物品であって、前記レッグギャザー側弾性部の最下端での前記横方向の幅は、前記レッグギャザー側弾性部の前方側の最上端での前記横方向の幅よりも狭いことが望ましい。
【００２０】
このような吸収性物品によれば、レッグギャザー側弾性部における着用者の股下側に対応する最下端では、横方向の幅を狭くすることでレッグギャザー側弾性部が有する弾性力を狭い範囲に集中して作用させることができ、肌との間に隙間が生じにくくなり漏れの抑制につながる。他方、着用者の腹部側に対応する前方側の最上端では、横方向の幅を広くすることにより弾性力を面で分散して作用させることができ、腹部への食い込みの抑制につながる。
【００２１】
かかる吸収性物品であって、前記弾性シート部材は、伸縮性不織布であることが望ましい。
【００２２】
このような吸収性物品によれば、通気性がよく、かつ柔軟な伸縮性不織布を用いることによって、蒸れにくくなると共に、肌触りがよくなり、脚回りにおける肌への違和感を抑制することができる。また、不織布は繊維をそのままシート状にできるため、繊維を紡糸する必要がなく、コストの削減にもつながる。
【００２３】
かかる吸収性物品であって、前方に設けられた前記接合部の前記縦方向に対する傾斜角度のうち小さい方の角度は、後方に設けられた前記接合部の前記縦方向に対する傾斜角度のうち小さい方の角度よりも大きいことが望ましい。
【００２４】
このような吸収性物品によれば、吸収性物品の着用時において吸収性本体の後側（背側）が着用者の臀部の上方まで引き上げられるため、肌との間に隙間が生じにくくなり、装着性の向上につながる。また、外観において臀部がすっきりとした印象となり、着用者へ「おむつ」を着用することに対する抵抗感を与えにくくすることができる。
【００２５】
＝＝＝実施形態＝＝＝
本発明の実施形態に係る吸収性物品の一例として、パンツ型の使い捨ておむつ１（以下では、単におむつ１とする）について説明する。
【００２６】
＜おむつ１の構成＞
おむつ１の構成について、図１〜図４を参照して説明する。
【００２７】
図１は、本発明の実施形態に係るおむつ１の外観を示す概略斜視図である。図２Ａ及び図２Ｂは、おむつ１の概略平面図であり、図２Ａは、おむつ１を前方から見た場合、図２Ｂは、おむつ１を後方から見た場合を示している。
【００２８】
このおむつ１は、着用時において図１に示されるようなパンツ型の形状をしている。パンツ型の状態において、おむつ１は、互いに直交する「縦方向」と「横方向」と「前後方向」とを有している。なお、縦方向のうち、着用者の胴回り側を上側（上方）とし、着用者の股下側を下側（下方）とする。また、前後方向のうち、着用者の腹側を前側（前方）とし、着用者の背側を後側（後方）とする。
【００２９】
図２Ａ及び図２Ｂに示すように、おむつ１は、縦方向に沿った吸収性本体２と、横方向に沿ったベルト部３１及び縦方向に沿ったレッグギャザー部３２を備えるシート部材３と、シート部材３の少なくとも一部に重なって配置された弾性シート部材４とを有している。図１に示すように、おむつ１の縦方向の上側には胴回り開口部ＨＢが形成され、横方向の両側には一対の脚回り開口部５が形成されている。
【００３０】
吸収性本体２は、内部に吸収体２１を備えており、帯状に形成されている。図１に示すように、長手方向の一側が前側の上方に位置し、着用者の股下を介して長手方向の他側が後側の上方に位置している。図１ならびに図２Ａ及び図２Ｂでは、吸収体２１を破線で示している。
【００３１】
シート部材３のベルト部３１は、本実施形態では、吸収性本体２の上側において横方向の両側に一対設けられている。シート部材３のレッグギャザー部３２は、ベルト部３１よりも下側において吸収性本体２の横方向の両側に一対設けられている。すなわち、本実施形態では、シート部材３は吸収性本体２の横方向の両側にそれぞれ配置されている。
【００３２】
弾性シート部材４は、図２Ａ及び図２Ｂに示すように、ベルト部３１の縦方向における下端部に配置されたベルト側弾性部４１と、レッグギャザー部３２の横方向における外端部に配置されたレッグギャザー側弾性部４２とを有している。すなわち、弾性シート部材４は、ベルト部３１側ではベルト部３１の下側の一部に重なり、レッグギャザー部３２側ではレッグギャザー部３２の横方向の外側の一部に重なっている。なお、シート部材３と弾性シート部材４とは、一部が重なり合っている場合だけでなく、全体が重なり合っていてもよい。
【００３３】
脚回り開口部５は、シート部材３と弾性シート部材４とを貫通して形成されている。これにより、弾性シート部材４は、脚回り開口部５の周縁５０の全周に亘って配置されることとなる。仮に、着用者の脚が接触する脚回り開口部５の周縁５０のうちベルト部３１側の縁（一部の縁）にのみ弾性シート部材４が配置されている場合、つまり弾性シート部材４がベルト側弾性部４１のみを有している場合には、レッグギャザー部３２側が弾性を有しないため、レッグギャザー部３２側においてシート部材３が肌にフィットしづらく、ベルト部３１側とレッグギャザー部３２側とにおいて肌へのフィット感に偏りが生じ、排泄物が漏れやすくなったり、おむつ１が適正な装着位置からずれてしまったりする可能性がある。
【００３４】
その一方で、脚回り開口部５の周縁５０において弾性シート部材４が全周に亘って途切れることなく配置されている場合には、ベルト部３１側とレッグギャザー部３２側とにおいて肌へのフィット感に偏りが生じにくくなると共に、弾性シート部材４が肌に対して面でフィットするため、肌へのフィット感が良好となる。よって、おむつ１の肌へのフィット感が改善されて装着性が向上する。
【００３５】
おむつ１の前方には、図２Ａに示すように、縦方向の上方側（胴回り開口部ＨＢ）から脚回り開口部５に向かって横方向外側へ傾斜した第１接合部６１が、横方向に並んで一対設けられている。本実施形態では、第１接合部６１によって、シート部材３のベルト部３１の縦方向上方における横方向の内側端部と吸収性本体２の縦方向の上方における横方向の外側端部とが接合されていると共に、弾性シート部材４のベルト側弾性部４１の横方向の内側端部とレッグギャザー側弾性部４２の縦方向の上方端部とが、一部において接合されている。
【００３６】
同様に、おむつ１の後方には、図２Ｂに示すように、縦方向の上方側から脚回り開口部５に向かって横方向外側へ傾斜した第２接合部６２が、横方向に並んで一対設けられている。本実施形態では、第２接合部６２によって、シート部材３のベルト部３１の縦方向上方における横方向の内側端部と吸収性本体２の縦方向の上方における横方向の外側端部とが接合されていると共に、弾性シート部材４のベルト側弾性部４１の横方向の内側端部とレッグギャザー側弾性部４２の縦方向の上方端部とが、一部において接合されている。
【００３７】
なお、第１接合部６１及び第２接合部６２は、必ずしも吸収性本体２とシート部材３とを接合すると共に、弾性シート部材４のベルト側弾性部４１とレッグギャザー側弾性部４２とを接合する必要はなく、少なくとも吸収性本体２とシート部材３とを接合していればよい。
【００３８】
図２Ａに示すように、第１接合部６１の下方側の端６１０と脚回り開口部５の周縁５０とは、所定の距離だけ離れている。同様に、図２Ｂに示すように、第２接合部６２の下方側の端６２０と脚回り開口部５の周縁５０とは、所定の距離だけ離れている。すなわち、第１接合部６１の下方側の端６１０及び第２接合部６２の下方側の端６２０はそれぞれ、脚回り開口部５の周縁５０まで到達しておらず、第１接合部６１の下方側の端６１０と脚回り開口部５の周縁５０との間、及び第２接合部６２の下方側の端６２０と脚回り開口部５の周縁５０との間にはそれぞれ、弾性シート部材４が介在している。
【００３９】
これにより、第１接合部６１の下方側の端６１０及び第２接合部６２の下方側の端６２０が着用者の肌に直接的に接触しにくくなり、接触による肌のかゆみや違和感を抑制することができる。また、肌に対して弾性シート部材４が面で接触するため、肌へのフィット感が良好となり装着性の向上につながる。
【００４０】
なお、第１接合部６１の下方側の端６１０及び第２接合部６２の下方側の端６２０は、必ずしも脚回り開口部５の周縁との間に所定の距離を空ける必要はなく、少なくとも縦方向の上方側から脚回り開口部５に向かって横方向外側へ傾斜して設けられていればよい。
【００４１】
また、図２Ａ及び図２Ｂに示すように、第１接合部６１の縦方向に対する傾斜角度のうち小さい方の角度θ１は、第２接合部６２の縦方向に対する傾斜角度のうち小さい方の角度θ２よりも大きい（θ１＞θ２）。すなわち、一対の第１接合部６１は、一対の第２接合部６２よりも横方向の両側へ向かって広がるように設けられている。
【００４２】
なお、第１接合部６１と第２接合部６２とは、必ずしも第１接合部６１の当該傾斜角度θ１が第２接合部６２の当該傾斜角度θ２よりも大きくなるように設けられている必要はなく、第１接合部６１の当該傾斜角度θ１と第２接合部６２の当該傾斜角度θ２とが等しくてもよいし（θ１＝θ２）、第２接合部６２の傾斜角度θ２が第１接合部６１の傾斜角度θ１よりも大きくてもよい（θ２＞θ１）。しかしながら、第１接合部６１の当該傾斜角度θ１を第２接合部６２の当該傾斜角度θ２よりも大きい方が望ましい。これについては、後述することとする。
【００４３】
次に、おむつ１を吸収性本体２の長手方向に沿って伸長させた状態における各部材の構成について、図３Ａ及び図３Ｂ、ならびに図４Ａ及び図４Ｂを参照して説明する。
【００４４】
図３Ａは、吸収性本体２の長手方向に沿って伸長させた状態のおむつ１を示す平面図であり、図３Ｂは、図３ＡのＡ−Ａ線断面図である。図４Ａは、製造工程の途中におけるおむつ１の展開状態を示す平面展開図であり、図４Ｂは、図４ＡのＢ−Ｂ線断面図である。
【００４５】
おむつ１は、製造工程の最終段階では図３Ａに示されるような平面状態である。平面状態のおむつ１は、互いに直交する「長手方向」と「横方向」と「厚さ方向」とを有している。平面状態のおむつ１の長手方向は、吸収性本体２の長手方向に沿った方向であり、図１ならびに図２Ａ及び図２Ｂに示されるようなパンツ型の状態でのおむつ１の縦方向に対応する方向である。しかしながら、厳密には、パンツ型の状態におけるおむつ１の縦方向と平面状態におけるおむつ１の長手方向とは若干意味が異なるため、必要に応じて「パンツ型状態での縦方向」、「平面状態での長手方向」等、両者を区別して扱う。
【００４６】
なお、図３Ａにおいて、おむつ１を吸収性本体２の長手方向に沿って伸長させた状態とは、おむつ１に配置された各弾性部材（例えば、弾性シート部材４等）による収縮力に抗しておむつ１を長手方向に伸長させた場合において、各弾性部材が配置されている部分において実質的に皺やギャザーが視認できなくなる程度まで伸長させた状態のことをいう。したがって、吸収性本体２の長手方向に伸長させた状態におけるおむつ１の形状は、各弾性部材による収縮力が発現していない状態において平坦に延びているおむつ１の形状と同じである。
【００４７】
以下の説明では、おむつ１を長手方向に伸長させた状態において、着用者の腹側にあたる側を長手方向の前側、着用者の背側にあたる側を長手方向の後側とする。平面状態のおむつ１の横方向は、パンツ型状態のおむつ１の横方向と同じ概念である。平面状態のおむつ１の厚さ方向は、長手方向及び横方向に直交する方向であり、着用者の肌と接触する側を「肌側」とし、その反対側を「非肌側」とする。
【００４８】
図３Ａ及び図３Ｂに示すように、平面状態のおむつ１において、吸収性本体２の横方向の両側に一対のレッグギャザー部３２が配置され、吸収性本体２の一部及びレッグギャザー部３２と厚さ方向の肌側に重なるように一対のベルト部３１が配置されている。このように配置されたベルト部３１及びレッグギャザー部３２は、図４Ａに示すように、長手方向に延びる折り返し線ＦＬでシート部材３を横方向の内側に折り返すことによって形成されている。図３Ａならびに図４Ａ及び図４Ｂでは、折り返し線ＦＬを二点鎖線で示している。
【００４９】
吸収性本体２は、長手方向に延びる略長方形状の部材（図４Ａ参照）を第１接合部６１及び第２接合部６２に沿って切断することにより、長手方向の各端部がそれぞれ先細った形状をしている。図３Ｂ及び図４Ｂに示すように、吸収性本体２は、尿等の液体を吸収する吸収体２１と、吸収体２１を厚さ方向の肌側から覆うトップシート２２と、吸収体２１を厚さ方向の非肌側から覆うバックシート２３とを有する。
【００５０】
吸収体２１、トップシート２２、及びバックシート２３はそれぞれ、厚さ方向に隣り合う部材とホットメルト接着剤等の接着剤等で接合されている。なお、当該接着剤の塗布パターンとしては、Ωパターンやスパイラルパターン、ストライプパターン等が挙げられる。これは、他の接着剤の塗布パターンについても同様である。
【００５１】
シート部材３は、不織布等を厚さ方向に二枚重ねにして形成され、その間には糸ゴム等の弾性部材が長手方向に伸長された状態で配置されている。図４Ｂに示すように、ベルト部３１の横方向の外側端部領域は、第１ベルト端部折り返し線ＦＬｂ１及び第２ベルト端部折り返し線ＦＬｂ２にて横方向の内側に２回折り返され、ホットメルト接着剤等で当該折り返し状態に固定されている。すなわち、第２ベルト端部折り返し線ＦＬｂ２は、図３Ａにおいて、ベルト部３１の横方向内側端部３１ｅｉとなる部分であり、胴回り開口部ＨＢとなる部分である。
【００５２】
胴回り開口部ＨＢをこのような端部折り畳み構造とすることにより、おむつ１を着用する際に、着用者の胴周りにおけるストレスを軽減することができる。ただし、当該横方向端部領域は必ずしも上述のような折り畳み構造とされていなくても良い。
【００５３】
図４Ａに示すように、製造工程の途中におけるおむつ１の展開状態では、弾性シート部材４が、吸収性本体２の横方向の両側にそれぞれ、シート部材３と厚さ方向に重なるように接合されている。
【００５４】
弾性シート部材４は、本実施形態では、伸縮性不織布である。伸縮性不織布の具体例としては、略弾性を示す熱可塑性エラストマー製繊維と、略非弾性を示す熱可塑性樹脂製繊維とを有した不織布に対してギア延伸処理等の適宜な延伸処理を施した不織布を例示できる。すなわち、かかる延伸処理を行うことによって、不織布に含まれる略非弾性の熱可塑性樹脂製繊維を塑性変形させたり、同繊維同士の接合点を破壊等させたりすれば、熱可塑性エラストマー製繊維の略弾性的な伸縮変形を阻害し難い構造に当該不織布を変化させることができ、これにより、当該不織布の伸縮性が発現されて、弾性シート部材４として使用可能な状態となる。
【００５５】
なお、略弾性の熱可塑性エラストマーとしては、ポリウレタン系エラストマー、ポリスチレン系エラストマー、ポリオレフィン系エラストマー、ポリアミド系エラストマー等を例示することができる。また、略非弾性の熱可塑性樹脂製繊維としては、ポリオレフィン系樹脂を含む繊維などを例示でき、更にポリオレフィン系樹脂としては、ポリエチレン（ＰＥ）、ポリプロピレン（ＰＰ）、エチレン−αオレフィン共重合体等を例示することができる。
【００５６】
このように、弾性シート部材４として通気性がよく、かつ柔軟な伸縮性不織布を用いることによって肌触りがよくなり、おむつ１の着用時において弾性シート部材４が脚回りに密着した状態となった場合であっても蒸れにくくなると共に、脚回りにおける肌への違和感を抑制することができる。また、不織布は繊維をそのままシート状にできるため、繊維を紡糸する必要がなく、コストの削減にもつながる。
【００５７】
本実施形態では、弾性シート部材４は、ベルト側弾性部４１及びレッグギャザー側弾性部４２が長手方向に伸長された状態でシート部材３に接合されている。このときの伸長率は、ベルト側弾性部４１では２．０倍〜４．０倍程度であり、レッグギャザー側弾性部４２では１．３倍〜３．０倍程度である。
【００５８】
弾性シート部材４において、ベルト側弾性部４１は折り返し線ＦＬよりも横方向の外側（ベルト部３１側）に位置し、レッグギャザー側弾性部４２は折り返し線ＦＬよりも横方向の内側（レッグギャザー部３２側）に位置している。したがって、製造工程の途中におけるおむつ１の展開状態（図４Ａに示す状態）において、シート部材３及び弾性シート部材４のうち、折り返し線ＦＬよりも横方向の外側が着用者の胴回り側に対応する部分（ベルト部３１及びベルト側弾性部４１）となっており、折り返し線ＦＬよりも横方向の内側（中央側）が着用者の股下側に対応する部分（レッグギャザー部３２及びレッグギャザー側弾性部４２）となっている。そして、弾性シート部材４は、シート部材３と共に折り返し線ＦＬで横方向の内側に折り返されて、図３Ａに示すような状態となる。
【００５９】
ベルト部３１及びベルト側弾性部４１には、横方向の外側端部３１０（折り返し線ＦＬ）において一部が切り欠かれた切り欠き３１１が設けられている。すなわち、切り欠き３１１は、ベルト部３１とベルト側弾性部４１とを厚さ方向に貫通している。
【００６０】
同様に、レッグギャザー部３２及びレッグギャザー側弾性部４２には、横方向の外側端部３２０（折り返し線ＦＬ）において一部が切り欠かれた切り欠き３２１が設けられている。すなわち、切り欠き３２１は、レッグギャザー部３２とレッグギャザー側弾性部４２とを厚さ方向に貫通している。
【００６１】
ベルト部３１側の切り欠き３１１とレッグギャザー部３２側の切り欠き３２１とによって胴回り開口５（図１ならびに図２Ａ及び図２Ｂ参照）が形成される。なお、本実施形態では、ベルト部３１側の切り欠き３１１の形状とレッグギャザー部３２側の切り欠き３２１の形状とが異なっているが、これに限らず、同一形状であってもよい。
【００６２】
このような平面状態のおむつ１における一対のベルト部３１の横方向の内側端部３１ｅｉ同士を横方向の外側に向かって引っ張りながら開き、吸収性本体２を長手方向の中央位置ＣＬ付近で二つ折りすることにより、図１ならびに図２Ａ及び図２Ｂに示すようなパンツ型のおむつ１として着用可能な状態となる。図３Ａ及び図４Ａでは、中央位置ＣＬを一点鎖線で示す。
【００６３】
このとき、平面状態のおむつ１において長手方向に伸長された状態でシート部材３に接合されたベルト側弾性部４１及びレッグギャザー側弾性部４２は、パンツ型の状態において脚回り開口部５の周縁５０に沿って収縮している。
【００６４】
仮に、パンツ型の状態において、ベルト側弾性部４１及びレッグギャザー側弾性部４２が脚回り開口部５の周縁５０に沿わない方向にも収縮している場合には、弾性シート部材４が脚回りに対して一様にフィットせず、肌との間に隙間を生じてしまう可能性がある。その一方、パンツ型の状態において、ベルト側弾性部４１及びレッグギャザー側弾性部４２が脚回り開口部５の周縁５０に沿って収縮している場合には、脚回りにおいて弾性シート部材４が均一に肌にフィットして隙間が生じにくくなり、装着性が向上する。
【００６５】
第１接合部６１及び第２接合部６２は、シート部材３及び弾性シート部材４が折り返し線ＦＬで横方向の内側に折り返された状態（図３Ａに示す状態）において形成される。本実施形態では、第１接合部６１及び第２接合部６２は、端部が折り返し線ＦＬまで延びるように形成されている。第１接合部６１及び第２接合部６２における接合方法としては、熱溶着や超音波溶着等の公知の溶着手段が挙げられるが、これに限らず、例えばホットメルト接着剤等の接着剤を用いて接着されてもよい。
【００６６】
＜レッグギャザー側弾性部４２の構成＞
次に、弾性シート部材４のレッグギャザー側弾性部４２の構成について、図５を参照して説明する。
【００６７】
図５は、製造工程の途中のおむつ１の展開状態における脚回り開口部５、及びその周辺を示す部分拡大図である。
【００６８】
レッグギャザー側弾性部４２は、製造工程の途中におけるおむつ１の展開状態において、折り返し線ＦＬの横方向の内側に配置されている。レッグギャザー側弾性部４２は、長手方向の中央位置ＣＬでの横方向の幅Ｗ１が、切り欠き３１１（脚回り開口５）の長手方向の後端での横方向の幅Ｗ２よりも狭い（Ｗ１＜Ｗ２）。
【００６９】
ここで、パンツ型の状態において、長手方向の中央位置ＣＬは縦方向の最下端の位置に対応し、切り欠き３１１（脚回り開口５）の長手方向の後端は後方側における縦方向の最上端の位置に対応する。したがって、パンツ型の状態において、レッグギャザー側弾性部４２の最下端での横方向の幅Ｗ１は、レッグギャザー側弾性部４２の後方側の最上端での横方向の幅Ｗ２よりも狭い。
【００７０】
パンツ型の状態における縦方向の最下端は着用者の股下側に対応するため、レッグギャザー側弾性部４２の横方向の幅を狭くすることでレッグギャザー側弾性部４２が有する弾性力を狭い範囲に集中して作用させることができ、肌との間に隙間が生じにくくなり排泄物の漏れの抑制につながる。他方、パンツ型の状態における後方側の最上端は着用者の臀部に対応するため、レッグギャザー側弾性部４２の横方向の幅を広くすることでレッグギャザー側弾性部４２が有する弾性力を面で分散して作用させることができ、臀部への食い込みの抑制につながる。
【００７１】
また、レッグギャザー側弾性部４２は、長手方向の中央位置ＣＬでの横方向の幅Ｗ１が、切り欠き３１１（脚回り開口５）の長手方向の前端での横方向の幅Ｗ３よりも狭い（Ｗ１＜Ｗ３）。
【００７２】
ここで、パンツ型の状態において、長手方向の中央位置ＣＬは縦方向の最下端の位置に対応し、切り欠き３１１（脚回り開口５）の長手方向の前端は前方側における縦方向の最上端の位置に対応する。したがって、パンツ型の状態において、レッグギャザー側弾性部４２の最下端での横方向の幅Ｗ１は、レッグギャザー側弾性部４２の前方側の最上端での横方向の幅Ｗ３よりも狭い。
【００７３】
パンツ型の状態における縦方向の最下端は着用者の股下側に対応するため、レッグギャザー側弾性部４２の横方向の幅を狭くすることでレッグギャザー側弾性部４２が有する弾性力を狭い範囲に集中して作用させることができ、肌との間に隙間が生じにくくなり排泄物の漏れの抑制につながる。他方、パンツ型の状態における前方側の最上端は着用者の腹部に対応するため、レッグギャザー側弾性部４２の横方向の幅を広くすることでレッグギャザー側弾性部４２が有する弾性力を面で分散して作用させることができ、腹部への食い込みの抑制につながる。
【００７４】
なお、本実施形態では、弾性シート部材４は、パンツ型の状態において、レッグギャザー側弾性部４２の最下端での横方向の幅Ｗ１が、後方側の最上端での横方向の幅Ｗ２及び前方側の最上端での横方向の幅Ｗ３よりも狭く形成されているが、これに限らず、レッグギャザー側弾性部４２の横方向の幅がすべて均一に形成されていてもよい。
【００７５】
＜第１接合部６１及び第２接合部６２の傾斜角について＞
次に、第１接合部６１の傾斜角θ１及び第２接合部６２の傾斜角θ２について、図６Ａ及び図６Ｂを参照して説明する。
【００７６】
図６Ａは、着用者が従来のパンツ型おむつを着用した状態を示す側面図であり、図６Ｂは、着用者が本実施形態にかかるおむつ１を着用した状態を示す側面図である。
【００７７】
従来のパンツ型おむつでは、おむつの前側（腹側）に形成される接合部（本実施形態の第１接合部６１に相当）と後側（背側）に形成される接合部（本実施形態の第２接合部６２に相当）とは、縦方向について対称に形成されるのが一般的であった。すなわち、前側接合部の縦方向に対する傾斜角度と、後側接合部の縦方向に対する傾斜角度とが同じ角度となるように各接合部が形成されていた。その結果、図６Ａに示されるように、おむつ着用時において吸収性本体の後側（背側）が下方に垂れ下がりやすくなり、おむつ本体と着用者の臀部との間に隙間を生じやすくなるおそれがあった。また、外観上、臀部側がだぶついた印象となり、着用者は「おむつ」を着用していることを意識しやすくなるため、抵抗感を生じさせる場合があった。
【００７８】
これに対して、おむつ１では、第１接合部６１の縦方向に対する傾斜角度θ１が第２接合部６２の縦方向に対する傾斜角度θ２よりも大きくなるように調整されている（θ１＞θ２）。その結果、図６Ｂに示されるように、おむつ１の着用時において吸収性本体２の後側（背側）が着用者の臀部の上方まで引き上げられ、着用者の臀部との間に隙間が生じにくく、フィット性が向上する。また、外観上、ショーツやブリーフのような下着を着用しているように見え、臀部がすっきりとした印象となるため、着用者に「おむつ」を着用することに対する抵抗感を与えにくくすることができる。
【００７９】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００８０】
１…おむつ（吸収性物品）
２…吸収性本体
３…シート部材
４…弾性シート部材
５…脚回り開口部
３１…ベルト部
３２…レッグギャザー部
４１…ベルト側弾性部
４２…レッグギャザー側弾性部
５０…周縁
６１…第１接合部（接合部）
６２…第２接合部（接合部）
６１０，６２０…下方側の端
【図１】
2016220944.tif 000003
【図２】
2016220944.tif 000004
【図３】
2016220944.tif 000005
【図４】
2016220944.tif 000006
【図５】
2016220944.tif 000007
【図６】
2016220944.tif 000008